(57)【特許請求の範囲】
【請求項１】
他の通信装置と通信する通信手段と、
前記通信手段を介して他の通信装置へ発信が行われた後に、前記他の通信装置において行われる予め定められた動作を検知する検知手段と、
前記検知手段によって前記動作が検知され、かつ、当該動作に応じて決められた第１条件が満たされると、香りを発生させる発生手段を制御して、当該発生手段に香りを発生させる制御手段と
を備えることを特徴とする通信装置。
【請求項２】
前記制御手段は、前記第１条件が満たされた後に、前記検知手段によって検知された動作に応じて決められた第２条件が満たされると、前記第１条件が満たされたときに前記発生手段から発生した香りとは異なる香りを当該発生手段に発生させる
ことを特徴とする請求項１に記載の通信装置。
【請求項３】
前記制御手段は、前記第１条件が満たされた後に、前記検知手段によって検知された動作に応じて決められた第３条件が満たされると、前記第１条件が満たされたときに前記発生手段から発生させた香りの強度を変化させる
ことを特徴とする請求項１又は２に記載の通信装置。
【請求項４】
前記第１条件は、前記通信手段を介して前記他の通信装置へ行った発信を当該他の通信装置が受け取る動作が前記検知手段により検知されたときから経過した時間が、予め定められた時間に達することによって満たされるものである
ことを特徴とする請求項１ないし３のいずれか１項に記載の通信装置。
【請求項５】
前記第１条件は、前記通信手段を介した他の通信装置との音声又は文字による会話を要求する発信が行われた後、当該他の通信装置との当該会話を当該他の通信装置が終了させる動作が前記検知手段により検知されることによって満たされるものである
ことを特徴とする請求項１ないし３のいずれか１項に記載の通信装置。
【請求項６】
前記第１条件は、前記通信手段を介して前記他の通信装置へ行った発信を当該他の通信装置が受け取った後、当該他の通信装置に対してユーザが予め定められた操作を行うことで実行される動作が前記検知手段により検知されることによって満たされるものである
ことを特徴とする請求項１ないし３のいずれか１項に記載の通信装置。
【請求項７】
請求項１ないし６のいずれか１項に記載の通信装置と、
前記通信装置から当該通信装置とは異なる別筐体通信装置へ前記通信手段を介して行われる発信を検知する発信検知手段と、前記発信検知手段により前記発信が検知された後に、前記別筐体通信装置において行われる前記動作を検知する動作検知手段と、前記動作検知手段により前記動作が検知され、かつ、当該動作に応じて決められた前記第１条件が満たされると、当該第１条件が満たされたことを前記通信装置に通知する通知手段とを有する情報処理装置と
を備え、
前記通信装置の制御手段は、前記情報処理装置の前記通知手段により前記動作が検知されたことを通知され、かつ、当該動作に応じて決められた第１条件が満たされると、前記発生手段に香りを発生させる
ことを特徴とする通信システム。
【請求項８】
他の通信装置と通信する通信手段を備えたコンピュータを、
前記通信手段を介して他の通信装置へ発信が行われた後に、前記他の通信装置において行われる予め定められた動作を検知する検知手段と、
前記検知手段によって前記動作が検知され、かつ、当該動作に応じて決められた第１条件が満たされると、香りを発生させる発生手段を制御して、当該発生手段に香りを発生させる制御手段
として機能させるためのプログラム。
【発明の詳細な説明】
【技術分野】
【０００１】
本発明は、ユーザに香りを提供する技術に関する。
【背景技術】
【０００２】
ユーザが、携帯電話機のような他のユーザとのコミュニケーションを図るための通信装置を利用するときに、そのユーザに香りを提供する技術がある。特許文献１には、携帯電話機において着信者が通話開始の押しボタンを押すと、通話が開始されるとともにその携帯電話機から香りを発生させる技術が開示されている。
【先行技術文献】
【特許文献】
【０００３】
【特許文献１】特開２０１０−１０３９３９号公報
【発明の概要】
【発明が解決しようとする課題】
【０００４】
特許文献１に係る技術では、通話開始の押しボタンを押すなどの着信操作を行ったユーザ（つまり着信者）に対して、その操作がなされたタイミングで香りを発生するようになっている。しかし、香りの提供を望むユーザは、このような着信操作を行った着信者だけとは限らないし、また、その香りの提供タイミングも、そのような操作がなされたときだけに限らない。
そこで、本発明は、着信者以外のユーザに対し、その着信者の通信装置の動作に応じたタイミングで香りを提供することを目的とする。
【課題を解決するための手段】
【０００５】
上記課題を達成するために、本発明は、他の通信装置と通信する通信手段と、前記通信手段を介して他の通信装置へ発信が行われた後に、前記他の通信装置において行われる予め定められた動作を検知する検知手段と、前記検知手段によって前記動作が検知され、かつ、当該動作に応じて決められた第１条件が満たされると、香りを発生させる発生手段を制御して、当該発生手段に香りを発生させる制御手段とを備えることを特徴とする通信装置を提供する。
【０００６】
また、前記制御手段は、前記第１条件が満たされた後に、前記検知手段によって検知された動作に応じて決められた第２条件が満たされると、前記第１条件が満たされたときに前記発生手段から発生した香りとは異なる香りを当該発生手段に発生させてもよい。
【０００７】
さらに、前記制御手段は、前記第１条件が満たされた後に、前記検知手段によって検知された動作に応じて決められた第３条件が満たされると、前記第１条件が満たされたときに前記発生手段から発生させた香りの強度を変化させてもよい。
【０００８】
また、前記第１条件は、前記通信手段を介して前記他の通信装置へ行った発信を当該他の通信装置が受け取る動作が前記検知手段により検知されたときから経過した時間が、予め定められた時間に達することによって満たされるものであってもよい。
【０００９】
さらに、前記第１条件は、前記通信手段を介した他の通信装置との音声又は文字による会話を要求する発信が行われた後、当該他の通信装置との当該会話を当該他の通信装置が終了させる動作が前記検知手段により検知されることによって満たされるものであってもよい。
【００１０】
また、前記第１条件は、前記通信手段を介して前記他の通信装置へ行った発信を当該他の通信装置が受け取った後、当該他の通信装置に対してユーザが予め定められた操作を行うことで実行される動作が前記検知手段により検知されることによって満たされるものであってもよい。
【００１１】
また、本発明は、上述した通信装置と、前記通信装置から当該通信装置とは異なる別筐体通信装置へ前記通信手段を介して行われる発信を検知する発信検知手段と、前記発信検知手段により前記発信が検知された後に、前記別筐体通信装置において行われる前記動作を検知する動作検知手段と、前記動作検知手段により前記動作が検知され、かつ、当該動作に応じて決められた前記第１条件が満たされると、当該第１条件が満たされたことを前記通信装置に通知する通知手段とを有する情報処理装置とを備え、前記通信装置の制御手段は、前記情報処理装置の前記通知手段により前記動作が検知されたことを通知され、かつ、当該動作に応じて決められた第１条件が満たされると、前記発生手段に香りを発生させることを特徴とする通信システムを提供する。
【００１２】
また、本発明は、他の通信装置と通信する通信手段を備えたコンピュータを、前記通信手段を介して他の通信装置へ発信が行われた後に、前記他の通信装置において行われる予め定められた動作を検知する検知手段と、前記検知手段によって前記動作が検知され、かつ、当該動作に応じて決められた第１条件が満たされると、香りを発生させる発生手段を制御して、当該発生手段に香りを発生させる制御手段として機能させるためのプログラムを提供する。
【発明の効果】
【００１３】
本発明によれば、着信者以外のユーザに対し、その着信者の通信装置の動作に応じたタイミングで香りを提供することができる。
【図面の簡単な説明】
【００１４】
【図１】第１実施形態に係る通信システムの全体構成を示す図である。
【図２】通信端末のハードウェア構成を示すブロック図である。
【図３】芳香機のハードウェア構成を示すブロック図である。
【図４】香り通信サーバ装置のハードウェア構成を示すブロック図である。
【図５】各ユーザの契約情報を示す表である。
【図６】香り通信による芳香処理手順の一例を示すシーケンスチャートである。
【図７】香り通信による芳香処理手順の一例を示すシーケンスチャートである。
【図８】香り通信による芳香処理手順の一例を示すシーケンスチャートである。
【図９】第２実施形態に係る芳香処理手順の一例を示すシーケンスチャートである。
【図１０】第２実施形態に係る芳香処理手順の一例を示すシーケンスチャートである。
【図１１】第３実施形態に係る芳香処理手順の一例を示すシーケンスチャートである。
【図１２】第４実施形態に係る芳香処理手順の一例を示すシーケンスチャートである。
【図１３】第４実施形態に係る芳香処理手順の一例を示すシーケンスチャートである。
【図１４】香り通信サーバ装置の制御部が実現する機能を示すブロック図である。
【図１５】通信端末の制御部が実現する機能を示すブロック図である。
【図１６】変形例に係る芳香処理手順の一例を示すシーケンスチャートである。
【図１７】変形例に係る芳香処理手順の一例を示すシーケンスチャートである。
【発明を実施するための形態】
【００１５】
［第１実施形態］
以下、本発明の第１実施形態について図面を参照して説明する。
図１は、本発明の第１実施形態に係る通信システム１０の全体構成を示す図である。通信システム１０は、通信端末１００ａ、１００ｂと、芳香機２００と、香り通信サーバ装置３００とを含んで構成される。また、通信端末１００ａ、１００ｂと香り通信サーバ装置３００とは、移動体通信網やインターネットなどのネットワーク４００を介して互いに接続される。なお、通信システム１０には、実際にはより多数の通信端末が含まれ得るが、ここでは特定のユーザ、具体的には、ある通信において発信者となるユーザと受信者となるユーザの端末のみが図示されている。また、芳香機２００も、通信端末１００ａに対して複数対応付けられてもよい。
【００１６】
通信端末１００ａ、１００ｂは、互いを相手として電話通信や電子メールによる通信を行うための通信装置である。通信端末１００ａは、これらの通信における発信者であるユーザＡが所持する端末である。一方、通信端末１００ｂは、これらの通信における受信者であるユーザＢが所持する端末であり、通信端末１００ａとは筐体が異なる通信装置（別筐体通信装置）である。通信端末１００ａ、１００ｂは、携帯電話機、スマートフォン、タブレット端末などの無線通信端末であり、上記通信を行うための電話番号及び電子メールアドレスがそれぞれ決まっている。なお、互いの通信は無線通信ではなく有線通信であってもよい。以下において、通信端末１００ａ、１００ｂを区別する必要がない場合には、これらを「通信端末１００」と総称する。
【００１７】
芳香機２００は、香りを発生させる発生手段であり、通信端末１００ａと通信し、電気的に接続されるように構成されている。芳香機２００による通信は、無線通信と有線通信のいずれであってもよい。ただし、本実施形態においては、芳香機２００による通信がＢｌｕｅｔｏｏｔｈ（登録商標）による無線通信によって行われるものとする。Ｂｌｕｅｔｏｏｔｈによる無線通信は、例えばクラス２の場合、半径１０ｍ程度の距離まで相手側の機器と接続可能である。芳香機２００は、通信端末１００ａとともに携行されることが想定されており、例えば、通信端末１００ａに取り付けるストラップや、通信端末１００ａのカバー（ジャケット）などの形態で提供される。あるいは、芳香機２００は、通信端末１００ａの近くにあればよいので、ペンダント、ブレスレット、腕時計などのような、ユーザが身に付ける装飾品の形態であってもよい。
【００１８】
香り通信サーバ装置３００は、通信システム１０において提供される通信サービス（以下「香り通信サービス」という。）を管理するためのサーバ装置である。香り通信サーバ装置３００は、各ユーザの芳香機の所持の有無やその芳香機が発生する香りの種類などを管理する機能を有している。香り通信サーバ装置３００は、香り通信サービスを提供しているサービス事業者によって運用及び管理されている。上記のユーザＡ及びユーザＢは、この香り通信サービスを利用しているものとする。
【００１９】
図２は、通信端末１００のハードウェア構成を示すブロック図である。通信端末１００は、第１通信部１１０と、第２通信部１２０と、表示部１３０と、音声入出力部１４０と、操作部１５０と、制御部１６０と、記憶部１７０とを備える。第１通信部１１０は、芳香機２００と通信により接続する手段である。本実施形態の第１通信部１１０は、Ｂｌｕｅｔｏｏｔｈにより芳香機２００などの外部機器と通信する。よって、第１通信部１１０は、それまで接続したことがない外部機器と最初に接続する場合には、ペアリングを要する。一方、第２通信部１２０は、通信端末１００ｂ及び香り通信サーバ装置３００等の他の通信装置と通信する通信手段であり、ネットワーク４００を介してこれらの端末及び装置と通信する。
【００２０】
表示部１３０及び音声入出力部１４０は、いずれも、情報を出力する手段である。表示部１３０は、情報を視覚的に認識できる態様で出力し、音声入出力部１４０は、情報を聴覚的に認識できる態様で出力する。表示部１３０は、例えば、液晶ディスプレイや有機ＥＬ（electroluminescence）ディスプレイなどの表示パネルと、これを駆動する駆動回路とを備え、制御部１６０から供給される表示データに応じた文字や画像を表示する。音声入出力部１４０は、スピーカやマイクロホンを備え、音声を再生したり収音したりする。
【００２１】
操作部１５０は、ユーザの操作を受け付ける手段である。操作部１５０は、表示パネルに重ねて設けられたタッチスクリーンによって実現されてもよいし、いわゆるＱＷＥＲＴＹ配列などのキーパッド（キーボード）であってもよい。操作部１５０は、ユーザの操作を表す操作データを制御部１６０に供給する。
【００２２】
制御部１６０は、通信端末１００の動作を制御する手段である。制御部１６０は、ＣＰＵ（Central Processing Unit）などの演算処理装置や主記憶装置に相当する記憶媒体（メモリ）を備え、所定のプログラムに従って処理を実行することにより通信端末１００の各部の動作を制御する。例えば、制御部１６０は、第１通信部１１０や第２通信部１２０による接続や通信を制御したり、表示部１３０や音声入出力部１４０による情報の出力を制御したりする。
【００２３】
記憶部１７０は、データを記憶する手段である。記憶部１７０は、ハードディスクやフラッシュメモリなどの補助記憶装置に相当する記憶媒体を備えている。また、記憶部１７０は、ＵＩＭ（User Identity Module）カードやいわゆるメモリカードのように、通信端末１００に対して着脱可能な記憶媒体を含んでもよい。記憶部１７０は、上述した香りＩＤや、香り通信サーバ装置３００と通信する際の宛先となるアドレスなどを記憶する。
【００２４】
なお、通信端末１００ｂは、通信端末１００ａと同様のハードウェア構成を有する。ただし、通信端末１００ｂは、必ずしも芳香機２００と接続可能である必要はないため、第１通信部１１０を備えていなくてもよい。つまり、芳香機２００は、発信者であるユーザＡが使用可能であればよく、受信者であるユーザＢが使用可能であることを要しない。
【００２５】
図３は、芳香機２００のハードウェア構成を示すブロック図である。芳香機２００は、通信部２１０と、香り発生部２２０と、制御部２３０とを備える。通信部２１０は、通信端末１００ａと第１通信部１１０を介して接続する手段である。香り発生部２２０は、風を発生させるファンを有し、芳香成分を含有する液体を蓋付きの容器に蓄えている。香り発生部２２０は、この液体を噴霧し、霧状となった液体をファンによって外部に放出することで、香りを発生させる。また、香り発生部２２０は、容器の蓋の開き具合を変化させて液体の噴霧量を変更したり、ファンの回転速度を変更したりできるようになっており、これにより、香りの強弱を変化させることができるようになっている。なお、香り発生部２２０は、周知のさまざまな構成を用いることが可能であり、例えば、上記液体の代わりに芳香成分を浸潤させたスポンジやフェルトを容器に封入する構成としてもよい。制御部２３０は、通信部２１０による通信と、香り発生部２２０による香りの発生を制御する手段である。制御部２３０は、演算処理装置やメモリを備え、香りを発生させるタイミングなどを制御する。
【００２６】
芳香機２００は、あらかじめ決められた種類の香りを発生させるように構成されている。ただし、１つの芳香機２００が発生させることができる香りは、複数種類あってもよい。芳香機２００は、例えば、ラベンダー、シトラス及びロータスの香りを発生させることができる。芳香機２００の制御部２３０には、これらの香りの種類を表す香りＩＤが記憶されている。制御部２３０は、この香りＩＤにより指定された香りの発生を他の装置から指示されることにより、指定された香りを香り発生部２２０から発生させる。
【００２７】
図４は、香り通信サーバ装置３００のハードウェア構成を示すブロック図である。香り通信サーバ装置３００は、通信部３１０と、制御部３２０と、記憶部３３０とを備える。通信部３１０は、通信端末１００と接続する手段であり、ネットワーク４００を介してこれを実現する。制御部３２０は、香り通信サーバ装置３００の動作を制御する手段であり、各通信端末１００に通知や指示を行う。記憶部３３０は、データを記憶する手段であり、各ユーザが契約している香り通信サービスの内容が、各ユーザの電話番号及び電子メールアドレスと対応付けて記憶されている。以下では、記憶部３３０に記憶されているこれらの情報を「契約情報」という。
【００２８】
図５は、契約情報の一例として、ユーザＡ及Ｂの契約情報を示した表である。契約情報には、香りＩＤ、発信者芳香サービス契約、電話番号、電子メールアドレスが含まれている。この表の香りＩＤの列には、そのユーザが所持する芳香機で発生させることができる香りの香りＩＤが示されている。この列のユーザＡの行には、ラベンダー、シトラス及びロータスのそれぞれの香りＩＤである「ＩＤ０００２」、「ＩＤ０００７」及び「ＩＤ００１５」とが示されている。また、ユーザＢは芳香機を所持していないため、ユーザＢの行には「なし」と示されている。この表の電話番号、電子メールアドレスの列には、ユーザＡ及びＢの電話番号、電子メールアドレスがそれぞれ示されている。また、この表の発信者芳香サービス契約の列には、そのユーザがこの発信者芳香サービスの契約を結んでいる（あり）か否（なし）かを示している。ここにおいて、発信者芳香サービスとは、香り通信サービスで提供されるサービスのうちの１つであり、発信者が発信の操作をした後の定められたタイミングで発信者に対して香りを提供するサービスである。ユーザＡ及びＢは、両者ともこのサービスの契約を結んでいるため、どちらの行も「あり」と示されている。
【００２９】
通信システム１０の構成は、以上のとおりである。この構成のもと、通信システム１０においては、ユーザＡ及びＢに香り通信サービスが提供される。そのうちの発信者芳香サービスが提供されるときにおける通信端末１００ａ、１００ｂ、芳香機２００及び香り通信サーバ装置３００がそれぞれ行う処理について、以下、図６から図８までを参照して説明する。以下の図では、通信端末１００ａ及び１００ｂの各部を、各々の符号の末尾にａ、ｂを付して表す（例えば通信端末１００ａの制御部は制御部１６０ａと表す。）。
【００３０】
図６は、発信者芳香サービスが提供されるときの処理の手順の一例を示すシーケンスチャートである。この手順は、ユーザＡによって、通信端末１００ｂへ電話を発信するための操作が行われることから始まる（ステップＳ１１）。この操作が行われると、通信端末１００ａの制御部１６０ａは、通信端末１００ｂに対して電話の発信、すなわち、電話通信による接続の要求を行う（ステップＳ１２）。この要求が行われると、電話通信の交換機によって通信端末１００ｂに対して呼び出しが行われる。通信端末１００ｂの制御部１６０ｂは、この呼び出しを受け付けると、例えば音声入出力部１４０ｂから着信音を出力させ、この呼び出しをユーザＢに知らせる。一方、通信端末１００ａの制御部１６０ａは、通信端末１００ｂが呼び出しを受け付けると、この受付がされたことを交換器を介して通知され（ステップＳ１３）、例えば音声入出力部１４０ａから呼出音を出力させて通信端末１００ｂが着信していることをユーザＡに知らせる。制御部１６０ａは、ステップＳ１３において通知がされると、香り通信サーバ装置３００に対して、通信端末１００ｂに対して発信を行ったことと、通信端末１００ｂが呼び出しを受け付ける動作（着信の動作）を行ったこととを、この通知を受け取った時刻（以下「着信時刻」という。）と、自通信端末及び通信端末１００ｂの電話番号とともに通知する（ステップＳ１４）。
【００３１】
香り通信サーバ装置３００の制御部３２０は、ステップＳ１４において通知を受け取ると、記憶部３３０に記憶されている契約情報を参照して、ともに通知された電話番号があるかないか、すなわち、香り通信サービスの解約の有無を確認し、それがあった場合は、その電話番号を含む行の内容、すなわち、その電話番号のユーザの契約内容を確認する（ステップＳ１５）。この例の場合、制御部３２０は、ユーザＡ及びＢともに発信者芳香サービス契約が結ばれていることを確認する。このように発信者（ユーザＡ）及び受信者（ユーザＢ）の両者がこのサービス契約を結んでいると確認できた場合、制御部３２０は、予め決められた条件にしたがって、発信者に香りを提供する処理を実行する。
【００３２】
まず、香り通信サーバ装置３００の制御部３２０は、通信端末１００ｂが着信の動作を行ったとき、すなわちステップＳ１４で通知された着信時刻からの、呼び出しが継続されている時間（呼出時間という）の計測を開始する（ステップＳ１６）。そして、制御部３２０は、呼出時間が例えば呼出音３回分（約９秒）の長さとなったときに、通信端末１００ａに対して、契約情報で示されているユーザＡの香りＩＤのうちのいずれか（例えばＩＤ０００２）を送信するとともに、その香りＩＤの香りの発生を開始するように指示する（ステップＳ１７）。通信端末１００ａの制御部１６０ａは、この指示を受け付けると、芳香機２００に対して、この指示とともに送信されてきた香りＩＤの香りの発生を開始するように指示する（ステップＳ１８）。芳香機２００の制御部２３０は、この指示を受け付けると、香り発生部２２０を制御して、指示された香りＩＤの香り、すなわちラベンダーの香りの発生（芳香）を開始させる（ステップＳ１９）。
【００３３】
続いて、香り通信サーバ装置３００の制御部３２０は、計測した呼出時間が例えば呼出音７回分（約２１秒）となったときに、通信端末１００ａに対して、香りの発生を終了させるように指示する（ステップＳ２０）。通信端末１００ａの制御部１６０ａは、この指示を受け付けると、芳香機２００に対して、香りの発生を終了させるように指示する（ステップＳ２１）。芳香機２００の制御部２３０は、この指示を受け付けると、香り発生部２２０を制御して、香りの発生（芳香）を終了させる（ステップＳ２２）。なお、ステップＳ２１の処理がされる前にユーザＢが通信端末１００ｂを操作して通話が開始された場合、制御部１６０ａは、その時点で芳香機２００に対して芳香を終了させる指示をしてもよいし、それとは関係なくステップＳ２１の処理までを実行してもよい。
【００３４】
このようにして、通信システム１０においては、発信者芳香サービスがユーザＡ及びＢに対して提供され、発信者であるユーザＡに、通信端末１００ｂが着信の動作をした後、特定の期間に香りが提供される。以下では、この特定の期間を「芳香期間」という。この芳香期間は、発信者芳香サービスにおいて予め定められたものであり、図６の処理では、電話の発信がされたときから経過した呼出時間が呼出音３回分の長さに達したときから、呼出時間が呼出音７回分の長さに達したときまでと定められている。発信者芳香サービスにおいては、これとは異なる期間が芳香器間として定められていてもよく、例えば、呼出時間が呼出音３、５、７回分の長さに達したそれぞれのときから１秒間が経過するまでの期間と定められていてもよい。
【００３５】
図７は、図６と異なる芳香期間が定められている場合の、発信者芳香サービスが提供されるときの処理の手順の一例を示すシーケンスチャートである。この手順では、図６のステップＳ１１からＳ１５までと同じ処理が行われるため、図７では、ステップＳ１６以降の処理を示している。香り通信サーバ装置３００の制御部３２０は、ステップＳ１６で計測を開始した呼出時間が例えば呼出音３回分の長さとなったときに、通信端末１００ａに対して、ユーザＡの香りＩＤのうちのいずれか（例えばＩＤ０００２）を送信するとともに、その香りＩＤの香りを１秒間発生させるように指示する（ステップＳ３１）。通信端末１００ａの制御部１６０ａは、この指示を受け付けると、芳香機２００に対して、この指示とともに送信されてきた香りＩＤの香りを１秒間発生させるように指示する（ステップＳ３２）。芳香機２００の制御部２３０は、この指示を受け付けると、香り発生部２２０を制御して、指示された香りＩＤの香りを１秒間発生（芳香）させる（ステップＳ３３）。
【００３６】
香り通信サーバ装置３００の制御部３２０は、呼出時間が例えば呼出音５回分の長さとなったときと、７回分の長さとなったときに、それぞれ、ステップＳ３１と同じ処理を実行する（ステップＳ３４、Ｓ３７）。それに伴い、通信端末１００ａの制御部１６０ａは、ステップＳ３２で行った処理と同じ処理を実行する（ステップＳ３５、Ｓ３８）。また、芳香機２００の制御部２３０も、ステップＳ３３で行った処理と同じ処理を実行する（ステップＳ３６、Ｓ３９）。なお、ステップＳ３５又は３８の処理がされる前にユーザＢが通信端末１００ｂを操作して通話が開始された場合、制御部１６０ａは、通話が開始されたとき以降の処理を実行しないようにしてもよいし、それとは関係なくこれらの処理を実行してもよい。
【００３７】
また、発信者芳香サービスにおいては、芳香機２００の香り発生部２２０が香りの強弱を変化させることができるように構成されていれば、芳香期間中に、発生させる香りの強さ（芳香の強度）を変化させてもよい。例えば、香り発生部２２０は、香りの強度をレベル１から５までの５段階（レベル５が最も強い）で変化させることができるものとする。
【００３８】
図８は、芳香期間中に芳香の強度を変化させる場合の、発信者芳香サービスが提供されるときの処理の手順の一例を示すシーケンスチャートである。図８では、図７と同様にステップＳ１６以降の処理を示している。香り通信サーバ装置３００の制御部３２０は、ステップＳ１６で計測を開始した呼出時間が例えば呼出音３回分の長さとなったときに、通信端末１００ａに対して、ユーザＡの香りＩＤのうちのいずれか（例えばＩＤ０００２）を送信するとともに、その香りＩＤの香りをレベル２の強度で発生させることを開始するように指示する（ステップＳ４１）。通信端末１００ａの制御部１６０ａは、この指示を受け付けると、芳香機２００に対して、この指示とともに送信されてきた香りＩＤの香りをレベル２の強度で発生させることを開始するように指示する（ステップＳ４２）。芳香機２００の制御部２３０は、この指示を受け付けると、香り発生部２２０を制御して、指示された香りＩＤの香り、すなわちラベンダーの香りをレベル２で発生させること（芳香）を開始させる（ステップＳ４３）。
【００３９】
続いて、香り通信サーバ装置３００の制御部３２０は、呼出時間が例えば呼出音５回分の長さとなったときに、芳香機２００に発生させている香りの強度をレベル３に変更させるように通信端末１００ａに指示する（ステップＳ４４）。通信端末１００ａの制御部１６０ａは、この指示を受け付けると、芳香機２００に対して、発生している香りの強度をレベル３に変更させるように指示する（ステップＳ４５）。芳香機２００の制御部２３０は、この指示を受け付けると、香り発生部２２０を制御して、芳香の強度をレベル２からレベル３に変更する（ステップＳ４６）。次に、香り通信サーバ装置３００の制御部３２０は、呼出時間が例えば呼出音７回分の長さとなったときに、芳香機２００に発生させている香りの強度をレベル４に変更させるように通信端末１００ａに指示する（ステップＳ４７）。以下、ステップＳ４８、Ｓ４９において、ステップＳ４５、Ｓ４６と同様の処理が行われて、芳香機２００から発生する香りの強度がレベル４に変更される。
【００４０】
そして、ステップＳ１２において通信端末１００ａから電話通信の接続を要求されていた通信端末１００ｂにおいて、通信端末１００ｂの操作部１５０ｂがユーザＢにより操作され、通話を開始するための操作が行われたものとする（ステップＳ５０）。この操作により、通信端末１００ａ及び１００ｂは、互いに電話通信で接続され、通話が行える状態となる（ステップＳ５１）。通信端末１００ｂの制御部１６０ｂは、ステップＳ５１において、電話通信で接続されると、その旨を香り通信サーバ装置３００に通知する（ステップＳ５２）。香り通信サーバ装置３００の制御部３２０は、この通知を受け取ると、通信端末１００ａに対して、香りの発生を終了させるように指示する（ステップＳ５３）。以下、ステップＳ５４、Ｓ５５において、ステップＳ２１、Ｓ２１と同様の処理が行われて、芳香機２００による芳香が終了する。なお、ステップＳ４５又はＳ４８の処理が行われる前にステップＳ５１の処理（電話通信の接続）が行われて通話が開始された場合、制御部１６０ａは、通話が開始されたとき以降の処理を実行しないようにしてもよいし、それとは関係なくこれらの処理を実行してもよい。
【００４１】
以上、図６、図７、図８に示したように、通信端末１００ａの制御部１６０ａは、芳香の発生の開始やその終了、芳香の強度の変更などの処理（以下「芳香処理」という。）を、様々なタイミングで実行する。これにより、発信者芳香サービスにおいては、芳香のタイミングや期間、強度を異ならせた様々な方法で発信者に香りを提供することができる。香り通信サーバ装置３００の制御部３２０は、例えば、これらのうちの１つの方法で香りを提供してもよいし、ユーザ毎に香りを提供する方法を変えてもよい。また、制御部３２０は、時期によってこの方法を変えてもよいし、ユーザが選択した方法でそのユーザに香りを提供するようにしてもよい。これらの方法は、香り通信サーバ装置３００の記憶部３３０に、各方法における制御部３２０の動作の設定を表す情報（以下「設定情報」という。）を記憶させておくことで実現される。この設定情報は、例えば、実行する芳香処理の種類を表す芳香処理ＩＤ、その芳香処理を実行するタイミングを表すタイミングＩＤ、香りの強度又はその芳香処理を継続する時間等を表す数値である。芳香処理ＩＤは、例えば、芳香の発生の開始、その終了及び芳香の強度の変更をそれぞれ表す識別子である。また、タイミングＩＤは、例えば、タイミングを決める要因が呼出時間であることを表す識別子と、その時間の長さを秒で表す数値とを組み合わせたものである。タイミングＩＤは、この他にも、例えば、タイミングを決める要因が受信者側の通信端末１００の制御部１６０ｂの動作であることを示す識別子と、その動作の種類を表す番号とを組み合わせたものである。以下、これらの設定情報を、「芳香処理設定情報」という。また、タイミングＩＤが後者のものである場合、このタイミングＩＤは、通信端末１００ｂの記憶部１７０ｂにも記憶される。通信端末１００ｂの制御部１６０ｂは、このタイミングＩＤが表す動作を行ったときに、上記ステップＳ５２のようにその旨を香り通信サーバ装置３００に通知する。
【００４２】
本実施形態によれば、通信端末１００ｂが着信の動作を行った場合に、その動作の後の経過時間に応じた様々なタイミングで香りが発生する。つまり、着信者（ユーザＢ）以外のユーザ（発信者であるユーザＡ）に対し、その着信者の通信端末１００ｂの動作（着信の動作）に応じたタイミングで香りを提供することができる。また、通信端末１００ａの制御部１６０ａは、図７で示した例では、呼出音が鳴る間隔に応じたタイミングで芳香機２００から芳香させている。これにより、ユーザは、呼出音が鳴るタイミングを、聴覚に加えて嗅覚でも知ることができる。ユーザは、呼出音が鳴った回数を数えることで呼出時間の長さの見当をつけることがあるが、呼出音だけだと聞き逃したり数え損なったりして回数を忘れることがある。図７の例によれば、呼出音に加えて香りを同時に嗅ぐことで呼出音が鳴ったときの印象が強まり、呼出音だけの場合に比べて、呼出音の回数を覚えておきやすくなる。また、図８の例では、呼出時間が長くなるほど香りが強くなるため、ユーザは、香りの強さが変わらない場合に比べて、呼出時間の長さの見当をつけやすくなる。また、本実施形態によれば、発信者であるユーザは、相手の電話で着信の動作が行われ、相手が電話に出るのを待っている間に、香りを楽しむことができる。また、受信者であるユーザは、着信があった後、その着信の相手（発信者）を待たせているとき、又はその電話に出ることができないときに、その相手に対して香りを提供することで、待ち時間に香りを楽しんでもらうことができる。
【００４３】
［第２実施形態］
本発明の第２実施形態に係る通信システムは、上述した第１実施形態の通信システム１０と共通する構成を有するものである。よって、第１実施形態と共通する構成については、同一の符号を付し、その説明を適宜省略する。第１実施形態と本実施形態との相違点は、第１実施形態では、着信の動作の後に経過した時間に応じて上述の芳香処理が実行されていたが、本実施形態では、通信端末１００ｂが有する機能が実行されるタイミングに応じて芳香処理が実行されるという点である。ここでいう通信端末１００ｂが有する機能とは、着信を契機として実行されるものであり、例えば、伝言メモ機能である。この伝言メモ機能とは、他の通信端末１００から電話通信の接続を要求されたときに、通話させる代わりに、相手のユーザの音声を録音して伝言形式のメモとして保存しておく機能である。この機能は、通信端末１００ｂの制御部１６０ｂが、電話通信によって送信されてくる音声信号を、通話のときのように音声入出力部１４０ｂから出力させる代わりに、音声データに変換して記憶部１７０ｂに記憶させることで実現される。具体的には、制御部１６０ｂは、着信の動作を行ってから一定の時間が経過すると、まず、これから伝言メモを録音するという旨を伝える音声信号を通信端末１００ａに対して送信する。次に、制御部１６０ｂは、上記音声信号の出力に要する時間がこの送信から経過した後に、通話の録音を開始して、音声データを生成する。そして、制御部１６０ｂは、電話通信の終了又は予め定められた伝言メモの最長の録音時間の経過により録音を終了させると、生成した音声データを記憶部１７０ｂに記憶させる。こうして記憶された音声データ、すなわち伝言メモは、通信端末１００ｂの操作部１５０ｂを操作することにより再生される。
【００４４】
このような伝言メモ機能の実行に応じて芳香処理が実行される例について説明する。
図９は、本実施形態に係る発信者芳香サービスが提供されるときの処理の手順の一例を示すシーケンスチャートである。この手順では、まず、図６のステップＳ１１からＳ１４までと同じ処理が行われる。通信端末１００ｂの制御部１６０ｂは、ステップＳ１２の処理において行われる呼び出しを受け付けると、その受け付けの動作（着信の動作）を行ったときからの時間を計測し、定められた時間が経過すると、上記伝言メモ機能を開始させる（ステップＳ６１）。制御部１６０ｂは、この伝言メモ機能を開始する動作を行う（より詳細には、上述した音声信号を通信端末１００ａに対して送信する）とともに、その動作を行ったことを香り通信サーバ装置３００に通知する（ステップＳ６２）。香り通信サーバ装置３００の制御部３２０は、この通知を受け取ると、通信端末１００ａに対して、契約情報で示されているユーザＡの香りＩＤのうちのいずれかを送信するとともに、その香りＩＤの香りの発生を開始するように指示する（ステップＳ６３）。以下、ステップＳ６４、Ｓ６５において、図６のステップＳ１８、Ｓ１８と同様の処理が行われて、芳香機２００による芳香が開始される。なお、制御部１６０ａは、芳香機２００に対して、ステップＳ６３において予め定められた時間だけ芳香するように指示してもよいし、伝言メモへの録音が終わって電話通信が切れたときに芳香を終了するように指示してもよい。
【００４５】
図９のステップＳ６２では、伝言メモ機能において制御部１６０ｂにより行われる動作のうち、上記音声信号が送信されるタイミングで上記通知がされたが、他の動作が行われるタイミングで通知をしてもよい。例えば、制御部１６０ｂは、録音を開始したタイミングや、録音を終了したタイミングで上記通知をしてもよい。
【００４６】
なお、これらのタイミングで、芳香の開始以外の芳香処理が実行されてもよい。また、芳香処理には、発生させる香りの種類（芳香の種類）を変える処理が含まれていてもよい。
図１０は、伝言メモ機能が実行されるタイミングに応じて芳香の種類を変えるときの処理の手順の一例を示すシーケンスチャートである。この手順では、まず、図６のステップＳ１１からＳ１８までと同じ処理が行われ、芳香機２００による芳香が開始される。このとき、芳香機２００は、例えば、ラベンダーの香りを発生させているものとする。次に、通信端末１００ｂの制御部１６０ｂは、ステップＳ７１、Ｓ７２において、図９のステップＳ６１、Ｓ６２と同様に、伝言メモ機能を開始させ、その旨を香り通信サーバ装置３００に通知する。香り通信サーバ装置３００の制御部３２０は、この通知を受け取ると、通信端末１００ａに対して、例えば、香りＩＤの「ＩＤ００１５」を送信するとともに、発生させている香りの種類をこの香りＩＤが表すロータスに変更するように指示する（ステップＳ７３）。通信端末１００ａの制御部１６０ａは、この指示を受け付けると、芳香機２００に対して、発生させる香りの種類を、この指示とともに送信されてきた香りＩＤの香りに変更するように指示する（ステップＳ７４）。芳香機２００の制御部２３０は、この指示を受け付けると、香り発生部２２０を制御して、ラベンダーの香りを発生させるのに代えて、通信端末１００ａから送信されてきた香りＩＤの香り、すなわちロータスの香りを発生させる（ステップＳ７５）。なお、制御部１６０ａは、芳香機２００に対して、ステップＳ７４において予め定められた時間だけ芳香するように指示してもよいし、伝言メモへの録音が終わって電話通信が切れたときに芳香を終了するように指示してもよい。
【００４７】
本実施形態によれば、着信の動作が行われた後に実行される通信端末１００ｂの動作に応じた様々なタイミングで香りが発生する。また、この場合も、着信者以外のユーザに対し、その着信者の通信端末１００ｂの動作（着信の動作）に応じたタイミングで香りを提供することができる。また、ユーザＡは、通信端末１００ｂにおいて伝言メモ機能が実行されていることを、聴覚に加えて嗅覚でも知ることができる。
【００４８】
［第３実施形態］
本発明の第３実施形態に係る通信システムは、上述した第１実施形態の通信システム１０と共通する構成を有するものである。よって、第１実施形態と共通する構成については、同一の符号を付し、その説明を適宜省略する。第１及び第２実施形態と本実施形態との相違点は、第１及び第２実施形態では通話が始まる前に上述の芳香処理が実行されていたが、本実施形態では、通話が終わった後に芳香処理が実行されるという点である。
【００４９】
図１１は、本実施形態に係る発信者芳香サービスが提供されるときの処理の手順の一例を示すシーケンスチャートである。この手順では、まず、図６のステップＳ１１からＳ１４までと同じ処理が行われる。次に、ステップＳ１２において呼び出しを受け付けた通信端末１００ｂにおいて、操作部１５０ｂがユーザＢにより操作され、通話を開始するための操作が行われたものとする（ステップＳ８１）。この操作により、通信端末１００ｂの制御部１６０ｂが通信端末１００ａと電話通信で接続するための動作を行い、両端末間で通話が行える状態となる（ステップＳ８２）。続いて、操作部１５０ｂがユーザＢにより操作され、通話を終了するための操作が行われたものとする（ステップＳ８３）。この操作により、制御部１６０ｂが通信端末１００ａと接続している電話通信を切断するための動作を行い、両端末間で行われていた通話が終了する。制御部１６０ｂは、その旨（電話通信の接続が終了したこと。）を香り通信サーバ装置３００に通知する（ステップＳ８４）。香り通信サーバ装置３００の制御部３２０は、この通知を受け取ると、通信端末１００ａに対して、ユーザＡの香りＩＤのうちのいずれか（例えばＩＤ０００２）を送信するとともに、その香りＩＤの香りを一定時間（例えば３秒間）発生させるように指示する（ステップＳ８５）。通信端末１００ａの制御部１６０ａは、この指示を受け付けると、芳香機２００に対して、この指示とともに送信されてきた香りＩＤの香りを３秒間発生させるように指示する（ステップＳ８６）。芳香機２００の制御部２３０は、この指示を受け付けると、香り発生部２２０を制御して、指示された香りＩＤの香り（この場合ラベンダーの香り）を３秒間発生（芳香）させる（ステップＳ８７）。
【００５０】
本実施形態によれば、通信端末１００ａ及び１００ｂの電話通信の接続が終わった後であっても、香りを発生させることができる。また、この場合も、着信者以外のユーザに対し、その着信者の通信端末１００ｂの動作（電話通信を切断するための動作）に応じたタイミングで香りを提供することができる。
【００５１】
［第４実施形態］
本発明の第４実施形態に係る通信システムは、上述した第１実施形態の通信システム１０と共通する構成を有するものである。よって、第１実施形態と共通する構成については、同一の符号を付し、その説明を適宜省略する。上述した各実施形態と本実施形態との相違点は、本実施形態では、通信端末１００ａの制御部１６０ａは、受信側の通信端末１００ｂを操作するユーザＢ（受信者）の操作（第３実施形態で述べた通話終了の操作を除く）に応じて香りを発生させることである。
【００５２】
図１２は、本実施形態に係る発信者芳香サービスが提供されるときの処理の手順の一例を示すシーケンスチャートである。この手順では、まず、図６のステップＳ１１からＳ１４までと同じ処理が行われる。通信端末１００ｂの制御部１６０ｂは、図９のステップＳ６１と同様の処理により伝言メモ機能を開始させた後、ユーザＡの音声を録音する（ステップＳ９１）。この録音が終了した後、通信端末１００ｂの操作部１５０ｂがユーザＢにより操作され、録音された伝言メモを再生するための操作が行われたものとする（ステップＳ９２）。この操作により、制御部１６０ｂは、伝言メモを再生する動作を行う。制御部１６０ｂは、その旨（伝言メモを再生する動作を行ったこと。）を香り通信サーバ装置３００に通知する（ステップＳ９３）。香り通信サーバ装置３００の制御部３２０は、この通知を受け取ると、通信端末１００ａに対して、ユーザＡの香りＩＤのうちのいずれか（例えばＩＤ０００２）を送信するとともに、その香りＩＤの香りの発生を開始させるように指示する（ステップＳ９４）。以下、ステップＳ９５、Ｓ９６において、図６のステップＳ１８、Ｓ１８と同様の処理が行われて、芳香機２００による芳香が開始される。なお、この例では、制御部１６０ａがステップＳ９５において予め定められた時間だけ芳香するように指示してもよいし、通信端末１００ｂにおいて伝言メモの再生が終わったときに、ステップＳ９３からＳ９５までの処理と同様の処理が行われて制御部１６０ａが芳香を終了するように芳香機２００に指示してもよい。
【００５３】
なお、図１２の例においては、ステップＳ９２でユーザＢによりいわゆる不在者着信を表示する操作がされてもよい。この場合、制御部１６０ｂは、この操作により不在者着信を表示する動作を行い、その動作を行ったことをステップＳ９３で香り通信サーバ装置３００に通知する。これらの処理が行われることにより、発信者であるユーザＡは、受信者であるユーザＢが伝言メモの再生又は不在者着信の表示の操作を行ったことを、香りの発生により知ることができる。
【００５４】
また、通信端末１００ａと１００ｂとの間では、電話通信に代えて、電子メールによる通信が行われてもよい。
図１３は、電子メールによる通信が行われる場合における、発信者芳香サービスが提供されるときの処理の手順の一例を示すシーケンスチャートである。通信端末１００ａ及び１００ｂは、それぞれ、ユーザＡ及びＢが利用する電子メールアドレスに送信されてくる電子メールを表示する機能を有している。そして、この手順は、ユーザＡによって、ユーザＢの電子メールアドレスへ電子メールを発信するための操作が行われることから始まる（ステップＳ１０１）。この操作が行われると、通信端末１００ａの制御部１６０ａは、ユーザＢの電子メールアドレスに対して、電子メールを送信する動作を行う（ステップＳ１０２）。制御部１６０ａは、ステップＳ１２の送信を行うとともに、香り通信サーバ装置３００に対して、自通信端末がユーザＢの電子メールアドレスに対して電子メールの送信の動作を行ったことを、この送信の動作を行った時刻と、ユーザＡ及びユーザＢの電子メールアドレスとともに通知する（ステップＳ１０３）。
【００５５】
香り通信サーバ装置３００の制御部３２０は、この通知を受け取ると、図６のステップＳ１５の処理を、電話番号を用いたところを電子メールアドレスに代えて実行する（ステップＳ１０４）。これにより、制御部３２０は、ユーザＡ及びＢともに発信者芳香サービス契約が結ばれていることを確認する。続いて、ユーザＢが通信端末１００ｂを用いて、ステップＳ１０２で送信されて自身の電子メールアドレスへ届いた電子メールを表示する操作を行ったものとする（ステップＳ１０５）。制御部１６０ｂは、この電子メールを表示部１３０ｂに表示させる動作を行うとともに、この動作を行ったことを香り通信サーバ装置３００に通知する（ステップＳ１０６）。香り通信サーバ装置３００の制御部３２０は、この通知を受け取ると、通信端末１００ａに対して、契約情報で示されているユーザＡの香りＩＤのうちのいずれかを送信するとともに、その香りＩＤの香りの発生を開始するように指示する（ステップＳ１０７）。以下、ステップＳ１０８、Ｓ１０９において、図６のステップＳ１８、Ｓ１８と同様の処理が行われて、芳香機２００による芳香が開始される。なお、この例では、制御部１６０ａがステップＳ１０８において予め定められた時間だけ芳香するように指示すればよい。
【００５６】
なお、図１３の例においては、ステップＳ１０５でユーザＢの操作により電子メールに添付されたファイルを開封する操作がされてもよい。この場合、制御部１６０ｂは、その操作によりファイルを開封する動作を行い、その動作を行ったことをステップＳ１０６で香り通信サーバ装置３００に通知する。これらの処理が行われることにより、発信者であるユーザＡは、受信者であるユーザＢが電子メール又は電子メールに添付したファイルを開いたことを、香りの発生により知ることができる。
【００５７】
［実施形態のまとめ］
上述した各実施形態においては、発信者であるユーザＡの通信端末１００ａの制御部１６０ａは、通信端末１００ｂにおいて予め定められた動作が行われた後、その動作に応じて決められた条件が満たされると、芳香機２００を制御して香りを発生させる。この条件を「第１条件」といい、例えば、第１実施形態であれば、着信の動作が行われた後、呼出時間が呼出音３回分の長さとなることによって満たされるものとなる。なお、この場合の第１条件は、呼出時間がこれ以外の長さとなることによって満たされるものであってもよく、要するに、予め定められた時間に達したときに満たされるものであればよい。
【００５８】
また、第１条件は、第２実施形態において図９で示した例であれば、通信端末１００ｂにおいて伝言メモ機能を開始する動作が行われることによって満たされるものとなる。なお、この場合の第１条件は、通信端末１００ｂにおいて他の動作が行われることによって満たされるものであってもよく、要するに、通信端末１００ａから１００ｂへ発信するための操作が行われた後、通信端末１００ｂが予め定められた動作が行われることによって満たされるものであればよい。
また、第１条件は、第３実施形態において図１１で示した例であれば、通信端末１００ａ及び１００ｂの間で通話が開始された後、通信端末１００ｂが通話を終了させる動作を行うことによって満たされるものとなる。なお、この場合の第１条件は、音声による通話に限らず、チャット（通信により文字を送受信して会話すること）やテレビ電話など、音声又は文字による会話が通信により行われるものであれば、通信端末１００ｂがその会話を終了させる動作を行うことによって満たされるものであればよい。
また、第１条件は、第４実施形態において図１２で示した例であれば、通信端末１００ｂにおいて着信の動作が行われた後、ユーザＢの操作により通信端末１００ｂが伝言メモを再生する動作を行うことによって満たされるものとなる。また、第１条件は、図１３で示した例であれば、着信の動作が行われた後、ユーザＢの操作により通信端末１００ｂが電子メールを表示する動作を行うことによって満たされるものとなる。なお、この場合の第１条件は、これらの操作に限らず、上記着信の動作が行われた後に、予め定められた操作がユーザによって行われ、その操作による動作を通信端末１００ｂが行うことで満たされるものであればよい。
【００５９】
また、通信端末１００ａの制御部１６０ａは、上記第１条件が満たされたことに応じて芳香機２００に香りを発生させた後、第１条件とは異なる条件（この条件を「第２条件」という。）が満たされると、第１条件が満たされたときに芳香機２００から発生した香りとは異なる香りを芳香機２００に発生させる制御を行う。この第２条件は、例えば、第２実施形態において図１０で示した例であれば、通信端末１００ｂにおいて伝言メモ機能を開始する動作が行われることによって満たされるものである。
また、制御部１６０ａは、第１条件が満たされたことに応じて芳香機２００に香りを発生させた後、第１条件とは異なる条件（この条件を「第３条件」という。）が満たされると、第１条件が満たされたときに芳香機２００から発生させた香りの強度を変化させる制御を行う。この第３条件は、例えば、第１実施形態において図８で示した例であれば、通信端末１００ｂにおいて着信の動作が行われた後、呼出時間が呼出音５回分及び７回分の長さとなることによって満たされるものである。
【００６０】
上述した各実施形態においては、香り通信サーバ装置３００の制御部３２０は、プログラムを実行することで、次のような機能を実現する。
図１４は、制御部３２０が実現する機能を示す機能ブロック図である。制御部３２０は、発信検知部３２１と、動作検知部３２２と、通知部３２３とを有する。発信検知部３２１は、通信端末１００ａから通信端末１００ｂへ第２通信部１２０ａを介して行われる発信を検知する。発信検知部３２１は、例えば、第１実施形態で図６に示した例であれば、ステップＳ１４において通信端末１００ａから通信端末１００ｂに対して発信を行ったことを通知されることにより、この発信を検知する。動作検知部３２２は、発信検知部３２１により発信が検知された後に、通信端末１００ｂにおいて行われる予め定められた動作を検知する。動作検知部３２２は、例えば、第１実施形態で図６に示した例であれば、ステップＳ１４において通信端末１００ａから通信端末１００ｂが着信の動作を行ったことを通知されることにより、この動作を検知する。また、動作検知部３２２は、例えば、第２実施形態で図９に示した例であれば、ステップＳ６２において通信端末１００ｂから伝言メモ機能を開始する動作を行ったことを通知されることにより、この動作を検知する。通知部３２３は、動作検知部３２２により動作が検知され、かつ、その動作に応じて決められた第１条件が満たされると、その第１条件が満たされたことを通信端末１００ａに通知する。例えば、第１実施形態で図６に示した例であれば、通知部３２３は、ステップＳ１４の通知により動作検知部３２２が動作を検知し、かつ、ステップＳ１６で計測を開始した呼出時間が呼出音３回分の長さとなることで第１条件が満たされると、ステップＳ１７において香りの発生を開始するように指示する。この香りの発生の指示は、第１条件が満たされたことを表しているので、通知部３２３は、この指示をすることで、第１条件が満たされことを通信端末１００ａに対して通知していることになる。通知部３２３は、例えば図６で示した第１実施形態のステップＳ１７、Ｓ２０、図９で示した第２実施形態のステップＳ６３、図１１で示した第３実施形態のステップＳ８５、図１２で示した第４実施形態のステップＳ９４等において、通信端末１００ａに通知する。
【００６１】
また、上述した各実施形態においては、通信端末１００ａの制御部１６０ａは、プログラムを実行することで次のような機能を実現する。
図１５は、制御部１６０ａが実現する機能を示す機能ブロック図である。制御部１６０ａは、検知部１６１ａと、香り制御部１６２ａとを有する。検知部１６１ａは、第２通信部１２０ａを介して通信端末１００ｂへ発信が行われた後に、通信端末１００ｂにおいて行われる上述した予め定められた動作を検知する検知手段である。この予め定められた動作とは、例えば、伝言メモ機能を開始する動作である。検知部１６１ａは、例えば、第２実施形態で図９に示した例であれば、ステップＳ６２において通信端末１００ｂから伝言メモ機能を開始する動作を行ったことを通知された香り通信サーバ装置３００が、ステップＳ６３において芳香の開始を指示してきたときに、この予め定められた動作（伝言メモ機能を開始する動作）が行われたことを検知することになる。香り制御部１６２ａは、芳香機２００を制御する制御手段である。香り制御部１６２ａは、検知部１６１ａによって動作が検知され、かつ、その動作に応じて決められた第１条件が満たされると、芳香機２００を制御して、芳香機２００に香りを発生させる。香り制御部１６２ａは、例えば、第１実施形態で図６に示した例であれば、ステップＳ１８、Ｓ２１において芳香機２００に香りを発生させる。
【００６２】
［変形例］
上述した各実施形態は、それぞれが本発明の実施の一例に過ぎず、以下のように変形させてもよい。また、上述した各実施形態及び以下に示す各変形例は、必要に応じて組み合わせて実施してもよい。
【００６３】
（変形例１）
香り通信サーバ装置３００の制御部３２０は、上述した各実施形態では、発信者（ユーザＡ）及び受信者（ユーザＢ）の両者が発信者芳香サービス契約を結んでいる場合に上述した動作を行ったが、両者とも香り通信サービスを契約していれば、そのうちのいずれか一方のみが発信者芳香サービス契約を結んでいる場合に、この動作を行ってもよい、すなわち、発信者芳香サービスを提供してもよい。発信者のみがこの契約を結んでいる場合、発信者は、自身の発信が接続されるまでの待ち時間に香りを楽しむことができる。また、受信者のみがこの契約を結んでいる場合は、この待ち時間や、通話できない状況にある場合に、発信者に香りを楽しんでもらうことができる。
【００６４】
（変形例２）
上述した第１及び第２実施形態では、呼出時間を香り通信サーバ装置３００の制御部３２０が計測したが、通信端末１００ａの制御部１６０ａが計測してもよい。この場合、通信端末１００ａの記憶部１７０ａには、上述した芳香処理設定情報が記憶されている。
図１６は、本変形例に係る発信者芳香サービスが提供されるときの処理の手順の一例を示すシーケンスチャートである。この手順では、まず、図６のステップＳ１１からＳ１４までと同じ処理が行われる。次に、香り通信サーバ装置３００の制御部３２０は、ユーザＡ及びＢともに発信者芳香サービス契約が結ばれていることを、通信端末１００ａに通知する（ステップＳ１１１）。通信端末１００ａの制御部１６０ａは、ステップＳ１３において通信端末１００ｂが呼び出しの動作を行ったことを通知されたときから、呼出時間の計測を開始しておき、例えば呼出音２回分の時間が経過したら計測を終了するようにしておく。そして、計測を終了する前に、ステップＳ１１１における通知がされれば、この呼出音の計測を継続する（ステップＳ１１２）。そして、制御部１６０ａは、呼出時間が例えば呼出音３回分の長さとなったときに、芳香機２００に対して、記憶部１７０ａに記憶されている香りＩＤのうちのいずれか１つの香りの発生を開始するように指示する（ステップＳ１１３）。芳香機２００の制御部２３０は、この指示を受け付けると、香り発生部２２０を制御して、指示された香りＩＤの香りの発生（芳香）を開始させる（ステップＳ１１４）。続いて、制御部１６０ａは、呼出時間が例えば呼出音７回分の長さとなったときに、芳香機２００に対して、芳香機２００に対して、香りの発生を終了させるように指示する（ステップＳ１１５）。芳香機２００の制御部２３０は、この指示を受け付けると、香り発生部２２０を制御して、香りの発生（芳香）を終了させる（ステップＳ１１６）。
【００６５】
本変形例によれば、香り通信サーバ装置３００と通信端末１００ａとの間の通信を減らすことができ、ネットワーク４００の通信の負荷を減らすことができる。また、香り通信サーバ装置３００からの通知が通信端末１００ａに受け取られるまでに要する時間は、ネットワーク４００の状態によって変動することがある。この変動が起こると、通信端末１００ａが香り通信サーバ装置３００の制御部３２０からの指示を受け付けるタイミングがそのときどきで変化することになる。この変化は、一定の間隔で芳香処理が行われたり、別の処理と近いタイミングで行われるときにユーザに認識されやすい。例えば、図７の例においてこの変動が起こると、呼出音が鳴るタイミングと芳香が発生するタイミングとの関係が、呼出音３、５、７回目の指示毎に変化するため、ユーザに容易に認識されることになる。本変形例では、制御部１６０ａが呼出時間の計測と芳香処理の指示とを両方行うため、芳香処理を実行するタイミングがこのようにずれることがない。
【００６６】
（変形例３）
通信端末１００ｂの制御部１６０ｂが予め定められた動作を行ったことは、上述した第２、３、４実施形態のように制御部１６０ｂから香り通信サーバ装置３００に通知されてもよいし、第１実施形態のように通信端末１００ａに通知されてから通信端末１００ａの制御部１６０ａが香り通信サーバ装置３００に通知してもよい。また、この動作を行ったことを、制御部１６０ｂが通信端末１００ａに通知するようにしてもよい。この場合、通信端末１００ａの記憶部１７０ａは、これらの実施形態において香り通信サーバ装置３００の記憶部３３０に記憶されていた芳香処理設定情報を記憶する。
【００６７】
図１７は、本変形例に係る発信者芳香サービスが提供されるときの処理の手順の一例を示すシーケンスチャートである。この例では、通信端末１００ａの記憶部１７０ａには、芳香の発生の開始を表す芳香処理ＩＤと、受信者側の通信端末１００が伝言メモ機能を開始したときを表すタイミングＩＤとが設定情報として記憶されているものとする。この手順では、図６のステップＳ１１からＳ１４までと同じ処理が行われる。次に、香り通信サーバ装置３００の制御部３２０は、ユーザＡ及びＢともに発信者芳香サービス契約が結ばれていることを、通信端末１００ａに通知する（ステップＳ１２１）。続いて、図９のステップＳ６１と同様の処理により伝言メモ機能が開始されたとする（ステップＳ１２２）。制御部１６０ｂは、この伝言メモ機能を開始させる動作を行うとともに、その動作を行ったことを通信端末１００ａに通知する（ステップＳ１２３）。通信端末１００ａの制御部１６０ａは、ステップＳ１２１の通知によりユーザＢの発信者芳香サービス契約が確認されたので、上記設定情報に従い、ステップＳ１２３で伝言メモ機能の開始が通知されたタイミングで、芳香機２００に対して芳香の開始を指示する（ステップＳ１２４）。この指示により、芳香機２００が芳香を開始する（ステップＳ１２５）。
【００６８】
この例のように、ステップＳ１２２の伝言メモの開始がステップＳ１５の契約内容の確認よりも後に行われる場合、図９の例のように、伝言メモの開始が香り通信サーバ装置３００に通知され、その通知の後に芳香処理が通信端末１００ａに指示されるときに比べて、本変形例では、香り通信サーバ装置３００から通信端末１００ａへの通信が不要な分だけ早く芳香処理を実行させることができる。
【００６９】
（変形例４）
通信端末１００は、上述した実施形態では、携帯電話機、スマートフォン、タブレット端末などの無線通信端末であったが、これらに限らず、例えば、通信端末１００と同様の機能を有したパーソナルコンピュータ等であってもよい。また、上述した実施形態では、通信端末１００と香りを発生させる手段（芳香機２００）とは、別々の装置であったが、この手段が通信端末１００に備えられていてもよい。この場合、通信端末１００は、図２に破線で示した芳香部１８０を備える。この芳香部１８０は、芳香機２００と同様の機能を有し、香りＩＤにより指定された香りを発生させる。これにより、通信の感度が変動することで芳香処理の指示が届かなかったり遅延したりする、といったことがなくなる。
【００７０】
（変形例５）
上述した各実施形態では、通信端末１００ｂの記憶部１７０ｂがタイミングＩＤを記憶して、通信端末１００ｂの制御部１６０ｂが、このタイミングＩＤが表す動作を行ったときに、その旨を香り通信サーバ装置３００に通知したが、記憶部１７０ｂにタイミングＩＤを記憶させなくてもよい。この場合、制御部１６０ｂは、何らかの動作を行う度に、その旨を香り通信サーバ装置３００に通知する。香り通信サーバ装置３００の制御部３２０は、タイミングＩＤが表す動作が行われた旨が通信端末１００ｂから通知されたときに、そのタイミングＩＤと組み合わされている芳香処理ＩＤの芳香処理を実行するように通信端末１００ａに指示する。本変形例によれば、タイミングＩＤは香り通信サーバ装置３００の記憶部３３０にのみ記憶されることになるので、例えば、発信者芳香サービスの内容が変わってタイミングＩＤを更新する場合に、各通信端末１００にタイミングＩＤが記憶されている場合に比べて、容易にその更新を行うことができる。
【００７１】
（変形例６）
本発明は、通信端末１００ａのような通信装置、香り通信サーバ装置３００のような情報処理装置又はこれらを含む通信システム１０としても把握されるものである。また、これらのみならず、これらを実現するための方法や、コンピュータに通信端末１００ａの制御部１６０ａの機能を実現させるためのプログラムとしても把握されるものである。かかるプログラムは、これを記憶させた光ディスク等の記録媒体の形態で提供されたり、インターネット等のネットワークを介して、コンピュータにダウンロードさせ、これをインストールして利用可能にするなどの形態でも提供されたりするものであってもよい。
【符号の説明】
【００７２】
１…通信システム、１００…通信端末、２００…芳香機、３００…香り通信サーバ装置、４００…ネットワーク、１１０…第１通信部、１２０…第２通信部、１３０…表示部、１４０…音声入出力部、１５０…操作部、１６０、２３０、３２０…制御部、１７０、３３０…記憶部、２１０、３１０…通信部、２２０…香り発生部、１６１…検知部、１６２…香り制御部、３２１…発信検知部、３２２…動作検知部、３２３…通知部
【図１】
0005688347.tif 000002
【図２】
0005688347.tif 000003
【図３】
0005688347.tif 000004
【図４】
0005688347.tif 000005
【図５】
0005688347.tif 000006
【図６】
0005688347.tif 000007
【図７】
0005688347.tif 000008
【図８】
0005688347.tif 000009
【図９】
0005688347.tif 000010
【図１０】
0005688347.tif 000011
【図１１】
0005688347.tif 000012
【図１２】
0005688347.tif 000013
【図１３】
0005688347.tif 000014
【図１４】
0005688347.tif 000015
【図１５】
0005688347.tif 000016
【図１６】
0005688347.tif 000017
【図１７】
0005688347.tif 000018